(57)【要約】  クオリティ・オブ・サービスの所定の様々なレベルを与える、無線電気通信ネットワークにおける無線ベアラ・チャネルの優先順位を決定する方法が提供される。この方法は、無線ベアラ・チャネルに適用される優先順位の評点を表す数値を決定するものである。これは、ベアラ・チャネルの少なくとも２つのクオリティ・オブ・サービス属性のそれぞれに数値をそれぞれ割り当て、次いでその値を処理して、ベアラ・チャネルに対する優先順位の評点を得ることによって行われる。
2009545913.tif 000002
【特許請求の範囲】
【請求項１】
クオリティ・オブ・サービスの所定の様々なレベルを与える、無線電気通信ネットワークにおける無線ベアラ・チャネルの優先順位を決定する方法であって、
前記ベアラ・チャネルの少なくとも２つのクオリティ・オブ・サービス属性のそれぞれに、対応する数値を割り当てるとともに、
前記値を処理して前記ベアラ・チャネルに対する前記優先順位の評点を得ることにより、
無線ベアラ・チャネルに適用される優先順位の評点を表す数値を決定することによって、
優先順位を決定する方法。
【請求項２】
前記値が、重み付けされ加算されることによって処理される、請求項１に記載の方法。
【請求項３】
前記重みが整数となるように、前記重みが選択される、請求項２に記載の方法。
【請求項４】
前記重み付けされた属性が整数となるように前記重みが選択される、請求項３に記載の方法。
【請求項５】
前記属性が、アロケーション／リテンション優先順位、トラフィッククラス、保証ビットレート、最大ビットレートを含むセットのうちの２つ以上を含む、請求項１に記載の方法。
【請求項６】
前記属性が、アロケーション／リテンション優先順位、トラフィッククラス、および割当てビットレートである、請求項１に記載の方法。
【請求項７】
前記アロケーション／リテンション優先順位が１〜１５の値を割り当てられ、１０倍に重み付けされ、トラフィッククラスが１〜６の値を割り当てられ、１倍に重み付けされ、割当てビットレートが１秒あたりのキロビットで表される値をとり、１０−３倍に重み付けされる、請求項６に記載の方法。
【請求項８】
前記ネットワークがＵＭＴＳ（国際移動体通信システム）ネットワークであり、前記属性のうちの１つがトラフィッククラスであり、
前記トラフィッククラスが、会話トラフィッククラス、ストリーミング・トラフィッククラス、双方向（トラフィック処理優先順位＝ｌ）トラフィッククラス、双方向（トラフィック処理優先順位＝２）トラフィッククラス、双方向（トラフィック処理優先順位＝３）トラフィッククラス、およびバックグラウンド・トラフィッククラスから選択可能であり、
前記会話トラフィッククラスが１の値を割り当てられ、
前記ストリーミング・トラフィッククラスが２の値を割り当てられ、
前記双方向（トラフィック処理優先順位＝１）トラフィッククラスが３の値を割り当てられ、
前記双方向（トラフィック処理優先順位＝２）トラフィッククラスが４の値を割り当てられ、
前記双方向（トラフィック処理優先順位＝３）トラフィッククラスが５の値を割り当てられ、
前記バックグラウンド・トラフィッククラスが６の値を割り当てられる、請求項１に記載の方法。
【請求項９】
請求項１に記載の優先順位を決定する方法を適用するとともに、
前記優先順位の評点に応じてリソース割当てを無線ベアラ・チャネルに適応させることにより、
リソースの割当てを、無線電気通信ネットワークにおける無線ベアラ・チャネルに適応させる方法。
【請求項１０】
クオリティ・オブ・サービスの所定の様々なレベルを与えるように構成されている無線電気通信ネットワークであって、
前記ネットワークが、無線ベアラ・チャネルに適用される優先順位の評点を表す数値を決定するように動作するネットワークノードを含み、
前記ネットワークノードがコンバータおよびプロセッサを含み、
前記コンバータが、前記ベアラ・チャネルの少なくとも２つのクオリティ・オブ・サービス属性のそれぞれに、対応する数値を割り当てるように構成され、
前記プロセッサが、前記値を処理して、前記ベアラ・チャネルに対する前記優先順位の評点を得るように構成される、無線電気通信ネットワーク。
【発明の詳細な説明】
【技術分野】
【０００１】
本発明は電気通信に関し、詳細には無線電気通信に関する。
【背景技術】
【０００２】
第３世代以上のネットワークには、例えば、ＵＭＴＳ（国際移動体通信システム：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ネットワークなどの３ＧＰＰ（第３世代移動体通信システムの標準化プロジェクト：Ｔｈｉｒｄ  Ｇｅｎｅｒａｔｉｏｎ  Ｐａｒｔｎｅｒｓｈｉｐ  Ｐｒｏｊｅｃｔ）標準にほぼ準拠するネットワークが含まれる。第３世代以上のネットワークである無線通信用ネットワークにおいては、マルチメディア・サービスなどの多くの異なるタイプのサービスが可能である。これらのサービスには、リアルタイムの伝送を必要とする、音声およびビデオ・ストリームなどのアプリケーションが含まれる。また、これらのサービスには、タイミングがそれほど重要でない、ウェブ・ブラウジング、ファイル・ダウンロードおよび他のデータ・サービスなどのアプリケーションが含まれる。
【０００３】
３ＧＰＰまたはＵＭＴＳ無線ネットワークにおいては、通話接続は、ベアラまたはベアラ・チャネルとして知られている１つまたは複数のチャネルにわたる通信データ・フローすなわちトラフィックを要する。上記に概説した様々なサービスをユーザに首尾よく提供するために、様々なタイプのトラフィックに対して許容できるクオリティ・オブ・サービス（Ｑｕａｌｉｔｙ  ｏｆ  Ｓｅｒｖｉｃｅ）ＱｏＳをどのように保証すべきかについて多くの労力が払わされてきた。基本的にベアラは、ベアラが搬送しているトラフィックのタイプに応じて様々な優先順位で扱われる。それゆえ、どのようなＱｏＳでベアラが処理されるべきかを決定することは重要である。
【０００４】
Ｔｈｉｒｄ  Ｇｅｎｅｒａｔｉｏｎ  Ｐａｒｔｎｅｒｓｈｉｐ  Ｐｒｏｊｅｃｔ、３ＧＰＰ、Ｔｅｃｈｎｉｃａｌ  Ｓｐｅｃｉｆｉｃａｔｉｏｎ  ＴＳ２３．１０７に詳述されているように、ベアラがどのように扱われるべきかを記述するのに使用される多くのＱｏＳ属性が、３ＧＰＰ標準によって定義されている。これは、エンドツーエンドＵＭＴＳベアラおよびそれらの中の無線アクセス・ベアラのどちらについてもいえる。エンドツーエンドＵＭＴＳベアラは、モバイル・ユーザ端末とコア・ネットワーク・ゲートウェイの間のベアラである。無線アクセス・ネットワーク・ベアラは、ＲＡＢベアラとしてしばしば知られており、モバイル・ユーザ端末から（コア・ネットワーク・ゲートウェイの手前にある）コア・ネットワーク・エッジ・ノードのところまでのみのデータ・フロー・パスの部分に関係している。
【０００５】
これらのＱｏＳ属性のうちのより重要な属性には、アロケーション／リテンション（Ａｌｌｏｃａｔｉｏｎ／Ｒｅｔｅｎｔｉｏｎ）優先順位および通常の４つのＱｏＳトラフィッククラス、すなわちバックグラウンド（Ｂａｃｋｇｒｏｕｎｄ）トラフィッククラス、双方向（Ｉｎｔｅｒａｃｔｉｖｅ）トラフィッククラス、ストリーミング（Ｓｔｒｅａｍｉｎｇ）トラフィッククラス、および会話（Ｃｏｎｖｅｒｓａｔｉｏｎａｌ）トラフィッククラスが含まれる。双方向トラフィックではトラフィック処理優先順位（ＴＨＰ：Ｔｒａｆｆｉｃ  Ｈａｎｄｌｉｎｇ  Ｐｒｉｏｒｉｔｙ）も重要である。他の重要なＱｏＳ属性は、例えば、割当てビットレート、保証ビットレートまたは最大ビットレートなどビットレートに関係するものである。
【０００６】
ベアラの優先順位付けにおいて、通常の公知の手法は、トラフィッククラスに応じてベアラを優先順位付けすることであり、会話クラス・ベアラに最高の優先順位が与えられ、バックグラウンド・クラス・ベアラに最低の優先順位が与えられる。双方向クラス中に３つのトラフィック処理優先順位（ＴＨＰ）レベルがあることを考慮に入れると、それにより６レベル優先順位スキームが得られる。したがって、アロケーション／リテンション優先順位およびビットレートは考慮されない。
【０００７】
別の公知の手法は、（しばしば決定ツリーと呼ばれる）一連の階層的ステップにおいて様々なＱｏＳ属性を考慮に入れて、優先順位に従ってベアラを配列することである。ベアラは、第１のＱｏＳ属性に従ってグループに分類され、次いで第２のＱｏＳ属性を使用してそれらのグループ内でさらに分類され、以下同様である。これは、基地局または基地局コントローラにおけるかなりの処理を伴う。また、ＵＭＴＳネットワークなどのネットワークにおいては、このＱｏＳに関するベアラの再配列は、トラフィック処理性能を改善するためのものであるにもかかわらず、頻繁に行われ、必要とされる制御信号系の量およびトラフィック処理性能に有害な影響を及ぼす。
【先行技術文献】
【非特許文献】
【０００８】
【非特許文献１】Ｔｈｉｒｄ  Ｇｅｎｅｒａｔｉｏｎ  Ｐａｒｔｎｅｒｓｈｉｐ  Ｐｒｏｊｅｃｔ、３ＧＰＰ、Ｔｅｃｈｎｉｃａｌ  Ｓｐｅｃｉｆｉｃａｔｉｏｎ  ＴＳ２３．１０７
【発明の概要】
【発明が解決しようとする課題】
【０００９】
本発明者は、一度に複数のＱｏＳ属性を考慮することによりベアラに提供すべき優先順位を評価することが可能であることに気がついた。
【００１０】
本発明の一例は、クオリティ・オブ・サービスの所定の様々なレベルを与える、無線電気通信ネットワークにおける無線ベアラ・チャネルの優先順位を決定する方法である。この方法は、無線ベアラ・チャネルに適用される優先順位の評点（ｒａｔｉｎｇ）を表す数値を決定するものである。これは、ベアラ・チャネルの少なくとも２つのクオリティ・オブ・サービス（ＱｏＳ）属性に対して対応する数値を割り当て、次いでその値を処理してベアラ・チャネルに対して優先順位の評点を与えることにより行われる。
【００１１】
ベアラ優先順位の評点は単一の数値であり、したがってトラフィックの制御における処理が容易になるが、適切に重み付けされた複数のＱｏＳ属性を考慮に入れている点で包括的である。
【課題を解決するための手段】
【００１２】
本発明は、例えば保証ビットレートなどベアラのビットレートを、ベアラ優先順位を決定する際に考慮に入れることを可能にすることができる。ビットレートは、例えば電力およびネットワーク帯域幅のリソースをベアラがどれだけ使用するかにかなりの影響を与える可能性がある。したがって、ベアラの優先順位付けの際にビットレートを考慮に入れることが有用となり得る。
【００１３】
次に本発明の実施形態を例を挙げて、図面を参照して以下に説明する。
【図面の簡単な説明】
【００１４】
【図１】本発明の第１の実施形態によるモバイル電気通信用ネットワークを示す図である。
【図２】図１に示す無線ネットワーク・コントローラを示す図である。
【図３】図２に示す無線ネットワーク・コントローラのより詳細な例を示す図である。
【発明を実施するための形態】
【００１５】
公知のシステムを考えるとき、本発明者は、各属性を別々に、かつ順番に考慮するのは欠点があることに気がついた。
【００１６】
本発明者は、一度に複数のＱｏＳ属性を考慮することにより、ベアラに提供すべき優先順位を評価することが可能であることに気がついた。
【００１７】
ネットワーク例
ネットワークの一例は、ＵＴＲＡＮ（国際移動体通信システム地上無線接続ネットワーク：ＵＭＴＳ  ｔｅｒｒｅｓｔｒｉａｌ  ａｃｃｅｓｓ  ｎｅｔｗｏｒｋ）であり、モバイル電気通信用の広帯域ＣＤＭＡ（符号分割多重接続）ネットワークの一種である。ＵＴＲＡＮネットワークは基本的に図１に示されるとおりである。話を簡単にするために、ＵＴＲＡＮネットワーク２の１つの無線ネットワーク・コントローラおよび２つの基地局だけが示されている。この図に示すように、ＵＴＲＡＮネットワーク２は基地局４を含む。図において基地局４のそれぞれは、ＵＭＴＳの専門用語に従って「ノードＢ」とも呼ばれる。セルは、セクタとも呼ばれ、対応する基地局のアンテナによってサービスされる無線カバー領域である。各基地局は典型的には３つのセル６を有し、それぞれ互いに方位が１２０度の角度だけ離れた３つの指向性アンテナ７のうちの１つによってカバーされる。各無線ネットワーク・コントローラ（ＲＮＣ）８は、典型的には複数の基地局４を、したがって複数のセル６を制御する。基地局４は、ＩｕＢインターフェースとして知られているそれぞれのインターフェース１０を介して、その基地局を制御する無線ネットワーク・コントローラ（ＲＮＣ）８に接続されている。使用中にモバイル・ユーザ端末１２（ＵＭＴＳの専門用語でＵＥ（ユーザ設備：Ｕｓｅｒ  Ｅｑｕｉｐｍｅｎｔ）と呼ばれることがある）が、少なくとも１つの基地局４の少なくとも１つのセル６を介してサービス側無線ネットワーク・コントローラ（ＲＮＣ）８と通信する。このようにしてモバイル・ユーザ端末はＵＴＲＡＮネットワーク２と通信する。
【００１８】
ＱｏＳ属性
ベアラまたはベアラ・チャネルとして知られている、通話接続の通信フローは、リソースの割当てに関して、それらが搬送するトラフィックのタイプに応じて様々な優先順位によって処理される。
【００１９】
前述のように、Ｔｈｉｒｄ  Ｇｅｎｅｒａｔｉｏｎ  Ｐａｒｔｎｅｒｓｈｉｐ  Ｐｒｏｊｅｃｔ、３ＧＰＰ、Ｔｅｃｈｎｉｃａｌ  Ｓｐｅｃｉｆｉｃａｔｉｏｎ  ＴＳ２３．１０７に詳述されているように、ＵＭＴＳネットワークにおいて、ベアラがどのように扱われるべきかを記述するのに使用される多くのＱｏＳ属性が定義されている。これは、エンドツーエンドＵＭＴＳベアラおよびそれらの中の無線アクセス・ベアラのどちらについてもいえる。エンドツーエンドＵＭＴＳベアラは、モバイル・ユーザ端末とコア・ネットワーク・ゲートウェイの間のベアラである。無線アクセス・ネットワーク・ベアラは、ＲＡＢベアラとしてしばしば知られており、データ・フロー・パスのうち、モバイル・ユーザ端末から（コア・ネットワーク・ゲートウェイの手前にある）コア・ネットワーク・エッジ・ノードのところまでのみの部分に関係している。
【００２０】
ＱｏＳ属性には、アロケーション／リテンション優先順位（ＡＲＰ：Ａｌｌｏｃａｔｉｏｎ／Ｒｅｔｅｎｔｉｏｎ  ｐｒｉｏｒｉｔｙ）および通常の４つのＱｏＳトラフィッククラス、すなわちバックグラウンド・トラフィッククラス、双方向トラフィッククラス、ストリーミング・トラフィッククラスおよび会話トラフィッククラスが含まれる。双方向トラフィックにとってはトラフィック処理優先順位（ＴＨＰ）も重要である。他のＱｏＳ属性は、割当てビットレート、保証ビットレートおよび最大ビットレートである。
【００２１】
ＱｏＳ属性によるベアラの優先順位付け
基本的にベアラに対する優先順位の評点を生成するには、優先順位を表す単一の数字を生成するために、複数のＱｏＳ属性が同時に考慮に入れられる。
【００２２】
無線ネットワーク・コントローラＲＮＣ８において、ベアラは優先順位付けされ、また、しばしばランク付けされると呼ばれる。図２に示すように、基地局（図２には図示せず）を制御するＲＮＣ８は、ベアラ・プライオリタイザ１４を含む。ＲＮＣ８は、ベアラ・プライオリタイザ１４に入力として接続されるコンバータ１５も含む。ベアラ・プライオリタイザ１４は、事前に選択された重みのための重み付け段１８と加算器２０とからなるプロセッサ１６を含む。加算器２０は出力２２を有する。
【００２３】
ベアラ優先順位の値は、ベアラ・プライオリタイザ１４によって決定される。
【００２４】
特定のどんなベアラについても、ベアラ・プライオリタイザ１４は、図２においてＡ１，Ａ２，．．．ＡＮで示される、関連するＱｏＳ属性を受け取る。これらの属性は、まだ数値形式でない場合、コンバータ１５により所定の規則に従って数値形式に変換される。例えばアロケーション／リテンション優先順位（ＡＲＰ）、ビットレート、遅延および／またはエラーレートなど、すでに数値形式である属性は直接使用される。
【００２５】
数値形式の属性は、ベアラ・プライオリタイザ１４に渡され、プロセッサ１６において処理され、すなわちプロセッサ１６の重み付け段１８において適切に重み付けされる。属性値のそれぞれに適切な重みが適用される。適用される重みの値は事前に定められている。重みは重み付け段１８において使用するために格納される。重みは図２においてＷ１，Ｗ２，．．．ＷＮで示される。重みは各属性の相対的な重要性を考慮に入れるように選択されている。
【００２６】
次に重み付けされた属性は、加算器２０によって加算されて、ベアラ優先順位の値を出力２２で与える。
【００２７】
この手法は、次式（式１）の形で書くことができる。
ベアラ優先順位の値＝Ａ１＊Ｗ１＋Ａ２＊Ｗ２＋．．．  ．．．＋Ａｎ＊Ｗｎ
式中、Ａｉはベアラのｉ番目のＱｏＳ属性を表し、Ｗｉはこの属性の重みを表す。ただし、ｉは２以上の整数値である。
【００２８】
上記の式からベアラ優先順位の評点の単一の値が得られるので、その後のベアラに対するリソース割当ての際に、ベアラ間での直接的な優先順位の比較がベアラ・プライオリタイザ１４によって容易に行われる。リソースは、無線リソースまたは他のネットワークリソースである。
【００２９】
ベアラ優先順位の値の計算は、あるベアラについてそのベアラの１つのＱｏＳ属性が変化するたびに繰り返し行われる。
【００３０】
重みおよびＱｏＳ属性の具体例
上述のより一般的な場合の具体例は、次式（式２）によって得られる。
ベアラ優先順位の値＝ＡＲＰ＊１０＋トラフィッククラス＋保証ビットレート／１０００
【００３１】
この特定の例では、ベアラは無線アクセス・ベアラ（ＲＡＢ）である。また、アロケーション／リテンション優先順位（ＡＲＰ）は整数値である。ＵＭＴＳ標準リリース１〜５のいずれかに準拠しているネットワークにおいては、可能な値はＡＲＰ＝１，２，３である。１は３よりも高いアロケーション／リテンション優先順位を表す。（ＵＭＴＳ標準リリース６に準拠している別のいくつかの実施形態（図示せず）では、ＡＲＰは１，２，３，．．．１５までの値をとることができる。）
【００３２】
また、トラフィッククラスは、次の固定の関係式を用いて整数値に変換される。
会話トラフィッククラス＝１
ストリーミング・トラフィッククラス＝２
会話トラフィッククラス（ＴＨＰ＝１）＝３
会話トラフィッククラス（ＴＨＰ＝２）＝４
会話トラフィッククラス（ＴＨＰ＝３）＝５
バックグラウンド・トラフィッククラス＝６
【００３３】
さらに、ビットレートは現在の割当て無線ベアラ・ビットレートである。このビットレートは、３ＧＰＰで認められているベアラレートの組合せに従うものであり、１秒あたり８キロビット（ｋｂｐｓ）〜３８４ｋｂｐｓの範囲にわたり、３桁を使用する。例えば、上記の式２では、１２８ｋｂｐｓは１２８として使用され、６４ｋｂｐｓは０６４として使用され（したがって１０００で割ると０．０６４が得られ）、以下同様である。
【００３４】
図３に示すように、ベアラ優先順位の値は、基地局（図３に図示せず）を制御する無線ネットワーク・コントローラＲＮＣ８’において、ベアラ・プライオリタイザ１４によって決定される。ＲＮＣ８は、ベアラに関連付けられたＱｏＳ属性を上記で説明した所定の規則に従って数値に変換するように機能するコンバータ１５も含む。ベアラ・プライオリタイザ１４’は、事前に選択された重みのための重み付け段１８’と加算器２０’とからなるプロセッサ１６’を含む。ＡＲＰ、トラフィッククラスおよびビットレートの、数値形式の３つの属性がプロセッサ１６内で処理され、すなわちプロセッサ１６’の重み付け段１８’において適切に重み付けされ、次いで加算器２０’によって加算されて、ベアラ優先順位の値を出力２２’で与える。
【００３５】
上記の式（式２）からベアラ優先順位の評点の単一の値が得られるので、その後のベアラに対するネットワークリソースまたは無線リソースの割当ての際に、ベアラ間での直接的な優先順位の比較が、ベアラ・プライオリタイザ１４によって容易に行われる。
【００３６】
値が小さくなるほど、ベアラ優先順位は高くなる。
【００３７】
例えば、ＡＲＰ＝２、ＴＨＰ＝２、ビットレートが１２８ｋであるベアラは、優先順位の値が２４．１２８と計算される。したがってこのベアラは、ＡＲＰ＝１、ＴＨＰ＝３、ビットレートが１２８ｋで１３．１２８の優先順位の値を与えるベアラよりも優先順位が低い。
【００３８】
なお、上述の優先順位の値が２４．１２８のベアラはまた、ＡＲＰおよびＴＨＰが等しくてビットレートが６４ｋである（優先順位の値２４．０６４を与える）ベアラよりも優先順位が低い。
【００３９】
優先順位の値の使用
ベアラ優先順位の値は、一度決定されると、ベアラのＱｏＳ制御のために無線ネットワーク・コントローラによって使用される。このことは、容量や伝送電力などのネットワークソースおよび無線リソースが限られており、したがってＱｏＳの動的制御でトラフィックを最もよく処理することが必要となるので、重要である。本質的に、このことは、どのベアラがどのリソースをいつ獲得するかを決定するために、この計算されたベアラ優先順位が使用されることを意味する。
【００４０】
一例を挙げると、２つのベアラが等しいアロケーション／リテンション優先順位（ＡＲＰ）およびＴＨＰを有するが、第１のベアラが３８４ｋｂｐｓの割当てビットレートを有し、第２のベアラが１２８ｋｂｐｓの割当てビットレートを有する。したがって、第１のベアラは第２のベアラより計算された優先順位の値が高いので、リソースに関して優先順位がより低くなる。リソースが乏しくなった場合、第１のベアラはダウングレードされて、割当てビットレートが例えば６４ｋｂｐｓに低減される。次に、そのベアラ優先順位の値が再計算され、低減されたことがわかる。したがって、そのとき以降、第１のベアラは第２のベアラ・チャネル（１２８ｋｂｐｓ）よりも高い優先順位を与えられるので、必要な場合、第２のチャネルに対して、割当てレートの次のダウングレードが行われることになる。これは、より低い割当てレートを有するユーザがより高い割当てビットレートを現在有する他の同様のユーザに比べて、リソース割当てに関して過度に不利にならないようにするので、動的で公平な手法である。
【００４１】
総論
この手法は、フレキシブルであり、例えば追加の、または代替のＱｏＳ属性を容易に考慮することができる。
【００４２】
いくつかの実施形態では、上記のベアラ優先順位の計算を１つのベアラの１つのＱｏＳ属性が変化するたびに繰り返し実行するのではなく、ベアラ優先順位の計算は一回だけ、特にベアラのセットアップ時に実行され、通話接続の継続時間中、それが正しいと想定される。
【００４３】
いくつかの実施形態では、重みは整数となるように選択される。いくつかの実施形態では、重み付けされた属性も整数となるように重みが選択される。これにより処理が容易になる。
【００４４】
いくつかの実施形態はＵＭＴＳネットワークに関係するが、本発明の手法はクオリティ・オブ・サービス要件に基づいてベアラ・チャネルを優先順位付けする他のネットワークにおいても使用することができる。例えば、ＤＳＣＰ（ＤｉｆｆＳｅｒｖ（Ｄｉｆｆｅｒｅｎｔｉａｔｅｄ  Ｓｅｒｖｉｃｅ）コードポイント）のトラフィックチャネルのどのＱｏＳ属性も使用することができる。
【００４５】
本発明はその本質的な特徴から逸脱することなく、他の特定の形式で実施することもできる。以上説明した実施形態は、すべての点において、限定的なものではなく、例示的なものにすぎないとみなされるべきである。具体的には、他のＱｏＳ属性および／またはＱｏＳ属性の組合せ、ならびに／あるいは様々な重み、重みの値、および／または重みの組合せを使用することができる。例えば、より低いベアラ優先順位の値が、より高い優先順位ではなく、より低い優先順位を示すように、重みを選択することもできる。
【００４６】
したがって、本発明の範囲は、前記の説明ではなく添付の特許請求の範囲によって示される。特許請求の範囲の均等物の意味および範囲に含まれるすべての変更形態は、その範囲に包含されるものとする。
【図１】
2009545913.tif 000003
【図２】
2009545913.tif 000004
【図３】
2009545913.tif 000005
【国際調査報告】
2009545913.tif 000006
2009545913.tif 000007
2009545913.tif 000008